(57)【要約】      （修正有）【課題】店舗前に違和感を感じさせることがない、かつ、お客さんに出来るだけ楽な姿勢で読取り動作が行え、さらに、長期使用においても安定してクリアな表示状態が持続する、蓄積された情報源を特定する二次元コードを表示した物品を設置する。【解決手段】二次元コードを書き込んだ物品としてマット１を選択し、そのマット上に蓄積された情報源を特定する二次元コードがカメラ機能を備えた携帯端末機２によって読取り可能な形態で表示されたものとし、二次元コードは原反を台ゴムに接着したものを起毛して型により捺染めしたものとして形成されているマットの文様として形成した。【選択図】図３
0003136742.tif 000002
【実用新案登録請求の範囲】
【請求項１】
蓄積された情報源を特定する二次元コードがカメラ機能を備えた携帯端末機によって読取り可能な形態で表示されたマット。
【請求項２】
二次元コードは原反を台ゴムに接着したものを起毛して型により捺染めしたものとして形成されたものである請求項１に記載のマット。
【請求項３】
二次元コードは他の文様と共に同一台ゴム上に接着された原反に捺染めしたものとして形成されている請求項２に記載のマット。
【請求項４】
二次元コードは辺寸法が８ｍｍ以上のモザイク文様で１５×１５ｃｍ以上の大きさに形成されている請求項２又は３に記載のマット。
【考案の詳細な説明】
【技術分野】
【０００１】
本考案は、蓄積された情報源を特定する二次元コードが携帯端末機によって読取り可能な形態で表示されたマットに関するものである。
【背景技術】
【０００２】
最近電子カメラによる読取り機能と小型コンピュータとしての機能を備えた携帯電話等携帯端末機の普及に伴い、これを用いてカメラ機能によりコード情報を読み込んで、情報源を特定し、その情報入力装置に蓄積された情報をその携帯端末機の表示器に表示するシステムが開発されている。このようなものとして特許文献１が知られている。この文献には「情報表示システム」に関する発明が記載されており、その発明は、表示器に表示された情報に対し、携帯端末器の簡単な操作で情報提供者にアクセスできるようにすることを目的としたもので、例えば、エレベーターのかご内に表示器を、乗場に別の表示器を設置しておき、情報提供者が情報入力装置を操作すると、機械室に設置された表示制御装置を介して、店舗、催事等の情報及びその情報提供源を表す二次元コードが表示器に表示される。この表示情報に興味を覚えた人が携帯端末器に付属するカメラで上記二次元コードを撮像すると、ホームページ、メール又は電話により情報提供者にアクセスすることができるというものである。この例はエレベータを利用するお客に表示装置を介して情報源特定情報を提供するものであるが、最近は宣伝のチラシや雑誌広告、名刺、パンフレットなどの一角に特定コード情報を印刷して当該者の情報源にアクセスさせることもよく行われている。
【０００３】
この種の情報提供システムによれば、店舗情報としては、特別セール情報であるとか、割引やポイント情報、当日の仕入れに従ったメニューであるといった日々更新される情報をお客に手軽に提供することが出来るため、デパートやスーパー、商店街や個々の小売業などの店舗入口付近にそれぞれのコード情報を表示しておき、カメラ機能を備えた携帯端末機を用いてお客への情報提供サービスを行うシステムの開発が求められている。
【特許文献１】特開２００５−２０８１４８号公報  「情報表示システム」平成１７年８月４日公開
【特許文献２】特許第３１４３８４９号公報  「ダストコントロールマットの染色方法」平成１３年１月５日登録
【考案の開示】
【考案が解決しようとする課題】
【０００４】
この情報提供源を表すコード情報は店舗入口近傍に表示することになるが、看板に二次元コードを書き込んだり、掲示板をおいて二次元コードを貼付けたりしても機能的には満たされるが、この表示は店舗入口に違和感を感じさせることがない形態で設置されることが望ましい。
また、コード情報の読取りは携帯端末機を用いて行われるものであるが、その際には被写体としてのコード情報表示を撮影するため携帯端末機のレンズをその方向に向けてコード情報を認識する間しばし静止させなければならない。わざわざカメラを構え撮影態勢を整えることなく、ポケットや鞄から取り出して手に握った状態で出来るだけ楽に自然に撮影できることが望ましい。
さらに、長期使用においても安定してクリアな表示状態が持続するものであることが望ましい。
【０００５】
本考案の課題は、店舗前に違和感を感じさせることがない、かつ、お客さんに出来るだけ楽な姿勢で読取り動作が行え、さらに、長期使用においても安定してクリアな表示状態が持続する形態で、蓄積された情報源を特定する二次元コードを表示した物品を設置することにある。
【課題を解決するための手段】
【０００６】
本考案は二次元コードを書き込んだ物品としてマットを選択し、そのマット上に蓄積された情報源を特定する二次元コードがカメラ機能を備えた携帯端末機によって読取り可能な形態で表示されたものとした。
上記の二次元コードは原反を台ゴムに接着したものを起毛して型により捺染めしたものとして形成されているマットの文様として形成した。
そして、この二次元コードは他の文様と共に同一台ゴム上に接着された原反に捺染めしたものとして形成されたものとした。
また、上記二次元コードが辺寸法が８ｍｍ以上のモザイク文様で１５×１５ｃｍ以上の大きさに形成されるようにした。
【考案の効果】
【０００７】
本考案は二次元コードを書き込んだ物品としてマットを選択したので、従来の店舗前の雰囲気を壊すことなく、自然な形で蓄積された情報源を特定する二次元コード情報の提供が出来る。また、この二次元コードがマット面上、すなわち、お客の足下に表示されるので、カメラ機能を備えた携帯端末機をポケットや鞄から取り出して手に握ったままの自然の状態で被写体に向けることが出来、二次元コード情報の取得ができる。
また、本考案の二次元コードを書き込んだマットの１形態では、上記二次元コードは原反を台ゴムに接着したものを起毛して型により捺染めした文様として形成したマットであるので、はめ込み式（ＧＩＬ）、織り込み式（ＴＤＭ）、インクジェットによるプリント式（ＪＰＭ）で製造されたマットでは、できない細かな表示が可能である。
【０００８】
また、本考案の二次元コードを書き込んだマットの１形態では、上記二次元コードは別材で形成して嵌め込んだり、縫いつけたりしたものではなく、他の文様と共に同一台ゴム上に接着された原反に捺染めしたものとして形成されたものとしたものであるから、全体として違和感が無いマットが形成されている。
また、本考案の二次元コードを書き込んだマットの１形態では、上記二次元コードは原反を台ゴムに接着したものを起毛して型により捺染めした文様として形成したマットである上に、辺寸法が８ｍｍ以上のモザイク文様で１５×１５ｃｍ以上の大きさに形成されたものであるから、マットとして使用され、足で踏まれても安定してクリアーな文様を保ち、コード情報として劣化することなく長期使用が可能である。また、１５×１５ｃｍ以上の大きさとすることで、ズーム機能を持たない携帯端末機であってもしゃがんだりすることなく安定したコード読取りが可能である。
【考案を実施するための最良の形態】
【０００９】
本考案のマットを説明する前に、まず、本考案のマットが使用されるシステムの概要について図１を参照しながら説明しておく。１は考案の二次元コードが表示されたマットであり、２はお客個人のカメラ機能付き携帯端末機（携帯電話）である。３は店舗等情報提供側の情報蓄積装置（コンピュータ）であり、４はそれに接続された情報入力手段（キーボード等）である。今、お客が料理店の前にきた状況を想定する。今日はどんなメニューがあるか知りたいと思い、携帯端末機２を取り出してカメラ機能でマット１の二次元コード１ａを撮影する(ステップ１)、すると携帯端末機２が備えている機能で二次元コードを復号解析し、そのデータに基づいてその店のホームページにアクセスする（ステップ２）。ホームページには料理店としてその日の仕入れに基づいて、提供できるメニューが情報入力手段４を介して情報蓄積装置３に入力されている。この情報をお客の携帯端末機２が取り込み、自機のディスプレイ上に表示させる（ステップ３）。この内容を見て、お客はこの料理屋に入るか他店に行くか判断できるという便利なシステムである。
【００１０】
本考案は、前述したようにこのシステムを利用するに際して、店舗前に違和感を感じさせることがない、かつ、お客さんに出来るだけ楽な姿勢で読取り動作が行え、さらに、長期使用においても安定してクリアな表示状態が持続する形態で、蓄積された情報源を特定する二次元コードを表示した物品を設置することを課題としてスタートした。二次元コードが表示される位置としては、携帯端末機をポケットや鞄から取り出して手に握ったままの自然の状態で被写体に向けることが出来、二次元コード情報の取得ができることを想定すれば、下方前方位置での表示が好ましい。長めの暖簾の下方位置に刷り込むことも考えられるが、暖簾であれば風やものがさわると動いてしまい、安定したコード読取りが難しい。また、客の出入りの障害になってはならないので、フラットな床面位置であることが好ましく、しかも立ったままで、被写体に向けるだけでコード情報を読みとれるようにするには適度の大きさのコード表示にする必要がある。床面に二次元コードを焼き付けたタイルを嵌め込むことも考えられるが、店舗前という場所で違和感を感じさせるおそれがある。以上のことを考える中で、本発明者らは従来から店舗入口に設置されているマット上に表示することに想到した。
【００１１】
ここで問題となることは、マットとしての使用、すなわち足で踏まれる中で安定して鮮明に二次元コード情報をマット面上に表示し続けるものを提供することである。文様入りマットの製造には従来から、１）モザイク状のピースを台に貼付けるはめ込み式（ＧＩＬ）、２）織り込み式（ＴＤＭ）、３）プリント式（ＪＰＭ）のものが知られている。しかし、１）２）で製造されたマットでは、細かな二次元コード表示が不可能であり、３）のプリント式であってもインクジェット方式では境目を鮮明に表現することは無理がある。本考案者は先に特許文献２を提案し、特許第３１４３８４９号として登録されている。これは、原反を台ゴムに接着する第一工程、起毛する第二工程、常法により、型を用いて捺染し、その後仕上げをする第三工程からなることを特徴とするダストコントロールマットの染色方法に関するものである。具体的にはまず、指定のデザイン、文字を適宜の方法で図形としてパソコン等に入力する。ディスプレイ上でデザインを決定した後、その出力により、型を製作する。合成ゴムの台に、白色の原反を接着し、その毛も圧着された状態で納入された原反を、もっとも簡単には、金属ブラシでこすって起毛する。このような機械的な方法でなく、原反を洗濯することによっても起毛出来るが、台に接着されたマットは重いので、機械的な起毛によるのが簡便である。起毛した原反に、先に準備した型を乗せ、糊に混入した染料をスキージで原反面に押し付けながら引き延ばす。必要な色数のスキージングを終った後、マットを１００℃で２０分間蒸す。蒸し終ったマットを水洗し、残った染料、糊を洗い落す。染色の堅牢度を高めるため、フィックス（染料固着剤）を入れた水槽につけ込む。これを脱水、乾燥して染めを完了する。この発明の原反の染色方法によって製造したマットは、染料がマットの上部から下部に垂直に浸透するため、文様の境目が鮮明となり二次元コード表示に好適である。
【００１２】
この染色方法で製造されたマットは文様の解明度を確保するため、少なくとも８ｍｍ幅が必要とされる。その理由はマット上の文様は堅い平面に書かれたものと異なり植え付けれた毛に色を付けるため、足で踏まれると毛の植設位置から若干ずれることになるためである。従って、文字を描く場合にはその線の太さは８ｍｍ以上ということになる。
【実施例】
【００１３】
図２に示した実施例は二次元コード１ａを他の文様（「あんしんはしんわ」なる文字及びマーク）と共に同一の台ゴム上に接着された原反に捺染めしたものとして形成している。二次元コード１ａは他の文様と一目瞭然に識別できるが、同じマット上に植設された原反の毛に染色されているので、違和感はなく、マットとしての機能を損なうことはない。  図３に二次元コード１ａを読取っている様子を図示しているが、店舗入口に立ったお客は手に持った携帯端末機２を自然に斜め下に向けた状態で前方下の二次元コード１ａを撮像画面に捉えることができる。しかも、かがみ込んで読取る必要がないように二次元コード１ａは１５×１５ｃｍ以上の大きさで表示されている。因みに、この実施例は７５×９０ｃｍ規格のマットに書き込んでいる。
また、二次元コード１ａは細かいコードについての識別性を確保するため、辺寸法が８ｍｍ以上のモザイク文様で捺染めしたものとしてこれを形成されている。そのためマットとして使用され、足で踏まれても安定してクリアーな文様を保ち、コード情報として劣化することなく長期使用が可能である。また、１５×１５ｃｍ以上の大きさとすることで、ズーム機能を持たない携帯端末機であってもしゃがんだりすることなく安定したコード読取りが可能である。
【産業上の利用可能性】
【００１４】
本考案は、料理店などの入口に設置してお客への情報提供するものとして説明したが、これに限らず、病院入口に設置して専門科の場所、担当医の名前と勤務時間等患者さんが必要とする情報を提供するなど、あらゆる店舗、施設、事業所など、入口にマットが敷かれるところであれば来客へのサービスとして広く適用可能なものである。
【図面の簡単な説明】
【００１５】
【図１】本考案のマットが使用されるシステムの概要について説明する図である。
【図２】本考案によるマットの１実施例を示す図である。
【図３】本考案によるマットの二次元情報をを携帯端末機で読取る形態を説明する図である。
【符号の説明】
【００１６】
１    二次元コードが書き込まれたマット
１ａ  二次元コード
２    携帯端末機
３    情報蓄積装置
４    情報入力手段
【図１】
0003136742.tif 000003
【図２】
0003136742.tif 000004
【図３】
0003136742.tif 000005